(57)【要約】【課題】  専用の中継機器を必要とせず、システム全体のコストを低減するとともに、中継処理が確実に行われるようにして、無駄な中継処理の発生を抑制する。【解決手段】  車両に搭載された無線通信機器を複数備え、各々が互いに無線により通信する車々間通信システムにおいて、無線通信機器は、自己の無線通信エリア内に、通信相手の無線通信機器が在圏しない場合には、実際の中継処理を行う時点で自己の無線通信エリア内に在圏すると推定される他の移動通信端末に通信データを送信し当該通信データの中継を行わせる。【選択図】      図１１
2006060635.tif 000002
【特許請求の範囲】
【請求項１】
複数の移動通信端末を備え、各々の移動通信端末が互いに無線により通信する移動体通信システムにおいて、
前記移動通信端末は、
自己の無線通信エリア内に、通信相手の移動通信端末が在圏するか否かを判別する在圏判別部と、
前記判別の結果、前記通信相手の移動通信端末が在圏しない場合には、実際の中継処理を行う時点で前記自己の無線通信エリア内に在圏すると推定される他の移動通信端末を特定し、選択する端末選択部と、
前記選択された他の移動通信端末に前記通信データを送信し前記通信データの中継を行わせる通信制御部と、
を備えたことを特徴とする移動体通信システム。
【請求項２】
請求項１記載の移動体通信システムにおいて、
前記端末選択部は、現在、前記自己の無線通信エリア内に在圏する他の移動通信端末のそれぞれに対応する移動速度及び移動方位に基づいて実際の中継処理を行う時点で前記自己の無線通信エリア内に在圏すると推定される他の移動通信端末を特定することを特徴とする移動体通信システム。
【請求項３】
請求項１または請求項２記載の移動体通信システムにおいて、
前記端末選択部は、実際の中継処理を行う時点で前記自己の無線通信エリア内に在圏すると推定される他の移動通信端末のうち、前記通信相手の移動通信端末の最も近くに存在する移動通信端末に通信データを中継させる
ことを特徴とする移動体通信システム。
【請求項４】
請求項１ないし請求項３のいずれかに記載の移動体通信システムにおいて、
前記移動通信端末は、
自己の位置情報を取得する位置取得部を備え、
通信データを送信する場合に、自己に割り当てられた識別情報および前記位置情報を含めて送信するとともに、
通信データを受信した場合には、受信した通信データに含まれている識別情報および前記位置情報並びに前回受信した位置情報に基づいて、移動速度情報および移動方位情報を算出し、識別情報、位置情報、移動速度情報及び移動方位情報を組にして、直接無線通信可能な移動通信端末の情報として記憶する
ことを特徴とする移動体通信システム。
【請求項５】
請求項１記載の移動体通信システムにおいて、
前記移動通信端末は、
自己の位置情報を取得する位置取得部を備え、
通信データを送信する場合に、自己に割り当てられた識別情報および前記位置情報を含めて送信するとともに、
通信データを受信した場合には、受信した通信データに含まれている識別情報および前記位置情報並びに前回受信した位置情報に基づいて、移動速度情報および移動方位情報を算出し、識別情報、位置情報、移動速度情報及び移動方位情報を組にして、直接無線通信可能な端末の情報として記憶し、
前記端末選択部は、当該移動端末の自己の無線通信エリア内に在圏する他の移動通信端末のうち、実際の中継処理を行う時点で前記自己の無線通信エリア内に在圏すると推定される他の移動通信端末であって、前記通信相手の移動通信端末の最も近くに存在する移動通信端末を、記憶した位置情報、前記移動速度情報および移動方位情報に基づいて特定していずれか一つの移動通信端末を選択し、選択した移動通信端末に通信データを中継させる
ことを特徴とする移動体通信システム。
【請求項６】
請求項４または請求項５に記載の移動体通信システムにおいて、
前記移動通信端末は、
通信データを受信するごとに、今回受信した通信データに含まれている識別情報を既に記憶している場合には、該当する識別情報と対応付けられた位置情報、移動速度情報および移動方位情報を、今回受信した通信データに対応する位置情報、移動速度情報および移動方位情報に更新する、
ことを特徴とする移動体通信システム。
【請求項７】
請求項６に記載の移動体通信システムにおいて、
前記移動通信端末は、
前記識別情報、前記位置情報、前記移動速度情報および前記移動方位情報を記憶した時刻、あるいは、更新した時刻を、当該識別情報、前記位置情報、前記移動速度情報および前記移動方位情報を組にして記憶するとともに、
記憶している前記時刻が現在時刻より所定時間以上前である場合には、当該時刻に対応する識別情報、前記位置情報、前記移動速度情報および前記移動方位情報を消去する、
ことを特徴とする移動体通信システム。
【請求項８】
請求項１ないし請求項７のいずれかに記載の移動体通信システムにおいて、
前記在圏判別部は、前記通信相手の移動通信端末の識別情報が記憶されているか否かに基づいて、前記自己の無線通信エリア内に、前記通信相手の移動通信端末が在圏するか否かを判断する
ことを特徴とする移動体通信システム。
【請求項９】
請求項３ないし請求項８のいずれかに記載の移動体通信システムにおいて、
前記移動通信端末は、通信データを送信する場合に、
前記通信データの送信先となる移動通信端末の識別情報および位置情報が格納された宛先フィールドと、
前記通信データの送信元となる自身の端末の識別情報および位置情報が格納された送信元フィールドと、
前記通信データの最終宛先となる移動通信端末の識別情報および位置情報が格納された最終宛先フィールドとを少なくとも有する無線フレームを用いる、
ことを特徴とする移動体通信システム。
【請求項１０】
請求項９記載の移動体通信システムにおいて、
前記移動通信端末は、
前記自己の無線通信エリア内に、通信相手の移動通信端末が在圏する場合、この通信相手の移動端末の識別情報及び位置情報を前記宛先フィールド及び前記最終宛先フィールドに格納して送信するとともに、
前記通信相手の移動通信端末が在圏していない場合には、通信データを中継させる移動通信端末の識別情報及び位置情報を前記宛先フィールドに格納するとともに、前記通信相手の移動通信端末の識別情報及び位置情報を前記最終宛先フィールドに格納して送信する、
ことを特徴とする移動体通信システム。
【請求項１１】
請求項１０記載の移動体通信システムにおいて、
前記移動通信端末は、
前記無線フレームの通信データを受信した場合、
前記送信先フィールドに自身の端末の識別情報が格納され、なおかつ、前記最終宛先フィールドに自身の端末の識別情報が格納されていなければ、
前記送信元フィールドに自身の識別情報及び位置情報を格納するとともに、
前記前最終宛先フィールドの識別情報に対応する移動通信端末が自身の無線通信エリアに在圏するときは、前記送信先フィールドに前記最終宛先フィールドの識別情報及び位置情報を格納して送信するとともに、
前記前記前最終宛先フィールドの識別情報に対応する移動通信端末が自身の無線通信エリアに在圏しないときには、前記通信データを中継させるべき移動通信端末の識別情報及び位置情報を前記送信先フィールドに格納して送信する
ことを特徴とする移動体通信システム。
【請求項１２】
請求項４ないし請求項１１のいずれかに記載の移動体通信システムにおいて、
前記位置取得部は、自己の位置情報を、ＧＰＳを用いた測位装置から取得することを特徴とする移動体通信システム。
【請求項１３】
他の移動通信端末と互いに無線により通信する移動通信端末において、
自己の無線通信エリア内に、通信相手の移動通信端末が在圏するか否かを判別する在圏判別部と、
前記判別の結果、前記通信相手の移動通信端末が在圏しない場合には、実際の中継処理を行う時点で前記自己の無線通信エリア内に在圏すると推定される他の移動通信端末を特定し、選択する端末選択部と、
前記選択された他の移動通信端末に前記通信データを送信し前記通信データの中継を行わせる通信制御部と、
を備えたことを特徴とする移動通信端末。
【発明の詳細な説明】
【技術分野】
【０００１】
本発明は、移動体通信システム及び移動通信端末に係り、特に、移動体通信システムを構成する移動通信端末により通信データを中継する技術に関する。
【背景技術】
【０００２】
従来から、移動体通信においては、所定範囲の無線通信エリアを形成する複数の基地局を、これらの無線通信エリアが互いに隣接するように配置し、かつ、基地局間を多重回線で接続したり、あるいは、移動端末の通信データを中継する専用の中継機器を配置する等して、実質的な無線通信エリアの拡大が図られている（例えば、特許文献１参照）。
【特許文献１】特開平５−３００００号公報
【発明の開示】
【発明が解決しようとする課題】
【０００３】
しかしながら、基地局間を専用回線で接続する構成にあっては、無線通信エリアを拡大すべき地域に多数の基地局を随所に配置する必要があり、更に、基地局間通信のために多重化装置を別途必要とすることから、システム全体のコストが高くなるといった問題があった。
【０００４】
また、専用の中継機器を配置する構成にあっては、この中継機器と移動端末との間の通信制御や、中継機器と基地局との間の通信制御などの手順が複雑であるといった問題があった。
【０００５】
そこで、本発明の目的は、上述した事情に鑑みてなされたものであり、専用の中継機器を必要とせず、システム全体のコストを低減することが可能で、中継処理を確実に行わせることにより無駄な中継処理をなくし、中継処理時間の抑制を図ることが可能な移動体通信システム及び移動通信端末を提供することにある。
【課題を解決するための手段】
【０００６】
上記課題を解決するために、複数の移動通信端末を備え、各々の移動通信端末が互いに無線により通信する移動体通信システムにおいて、前記移動通信端末は、自己の無線通信エリア内に、通信相手の移動通信端末が在圏するか否かを判別する在圏判別部と、前記判別の結果、前記通信相手の移動通信端末が在圏しない場合には、実際の中継処理を行う時点で前記自己の無線通信エリア内に在圏すると推定される他の移動通信端末を特定し、選択する端末選択部と、前記選択された他の移動通信端末に前記通信データを送信し前記通信データの中継を行わせる通信制御部と、を備えたことを特徴としている。
【０００７】
上記構成によれば、在圏判別部は、自己の無線通信エリア内に、通信相手の移動通信端末が在圏するか否かを判別する。端末選択部は、判別の結果、通信相手の移動通信端末が在圏しない場合には、実際の中継処理を行う時点で自己の無線通信エリア内に在圏すると推定される他の移動通信端末を特定し、選択する。
【０００８】
この結果、通信制御部は、選択された他の移動通信端末に通信データを送信し通信データの中継を行わせる。
この場合において、前記端末選択部は、現在、前記自己の無線通信エリア内に在圏する他の移動通信端末のそれぞれに対応する移動速度及び移動方位に基づいて実際の中継処理を行う時点で前記自己の無線通信エリア内に在圏すると推定される他の移動通信端末を特定するようにしてもよい。
【０００９】
また、前記端末選択部は、実際の中継処理を行う時点で前記自己の無線通信エリア内に在圏すると推定される他の移動通信端末のうち、前記通信相手の移動通信端末の最も近くに存在する移動通信端末に通信データを中継させるようにしてもよい。
【００１０】
さらに、前記移動通信端末は、自己の位置情報を取得する位置取得部を備え、通信データを送信する場合に、自己に割り当てられた識別情報および前記位置情報を含めて送信するとともに、通信データを受信した場合には、受信した通信データに含まれている識別情報および前記位置情報並びに前回受信した位置情報に基づいて、移動速度情報および移動方位情報を算出し、識別情報、位置情報、移動速度情報及び移動方位情報を組にして、直接無線通信可能な移動通信端末の情報として記憶するようにしてもよい。
【００１１】
さらにまた、前記移動通信端末は、自己の位置情報を取得する位置取得部を備え、通信データを送信する場合に、自己に割り当てられた識別情報および前記位置情報を含めて送信するとともに、通信データを受信した場合には、受信した通信データに含まれている識別情報および前記位置情報並びに前回受信した位置情報に基づいて、移動速度情報および移動方位情報を算出し、識別情報、位置情報、移動速度情報及び移動方位情報を組にして、直接無線通信可能な端末の情報として記憶し、前記端末選択部は、当該移動端末の自己の無線通信エリア内に在圏する他の移動通信端末のうち、実際の中継処理を行う時点で前記自己の無線通信エリア内に在圏すると推定される他の移動通信端末であって、前記通信相手の移動通信端末の最も近くに存在する移動通信端末を、記憶した位置情報、前記移動速度情報および移動方位情報に基づいて特定していずれか一つの移動通信端末を選択し、選択した移動通信端末に通信データを中継させるようにしてもよい。
【００１２】
また、前記移動通信端末は、通信データを受信するごとに、今回受信した通信データに含まれている識別情報を既に記憶している場合には、該当する識別情報と対応付けられた位置情報、移動速度情報および移動方位情報を、今回受信した通信データに対応する位置情報、移動速度情報および移動方位情報に更新するようにしてもよい。
【００１３】
さらに、前記移動通信端末は、前記識別情報、前記位置情報、前記移動速度情報および前記移動方位情報を記憶した時刻、あるいは、更新した時刻を、当該識別情報、前記位置情報、前記移動速度情報および前記移動方位情報を組にして記憶するとともに、記憶している前記時刻が現在時刻より所定時間以上前である場合には、当該時刻に対応する識別情報、前記位置情報、前記移動速度情報および前記移動方位情報を消去するようにしてもよい。
【００１４】
さらにまた、前記在圏判別部は、前記通信相手の移動通信端末の識別情報が記憶されているか否かに基づいて、前記自己の無線通信エリア内に、前記通信相手の移動通信端末が在圏するか否かを判別するようにしてもよい。
【００１５】
また、前記移動通信端末は、通信データを送信する場合に、前記通信データの送信先となる移動通信端末の識別情報および位置情報が格納された宛先フィールドと、前記通信データの送信元となる自身の端末の識別情報および位置情報が格納された送信元フィールドと、前記通信データの最終宛先となる移動通信端末の識別情報および位置情報が格納された最終宛先フィールドとを少なくとも有する無線フレームを用いるようにしてもよい。
【００１６】
さらに、前記移動通信端末は、前記自己の無線通信エリア内に、通信相手の移動通信端末が在圏する場合、この通信相手の移動端末の識別情報及び位置情報を前記宛先フィールド及び前記最終宛先フィールドに格納して送信するとともに、前記通信相手の移動通信端末が在圏していない場合には、通信データを中継させる移動通信端末の識別情報及び位置情報を前記宛先フィールドに格納するとともに、前記通信相手の移動通信端末の識別情報及び位置情報を前記最終宛先フィールドに格納して送信するようにしてもよい。
【００１７】
さらにまた、前記移動通信端末は、前記無線フレームの通信データを受信した場合、前記送信先フィールドに自身の端末の識別情報が格納され、なおかつ、前記最終宛先フィールドに自身の端末の識別情報が格納されていなければ、前記送信元フィールドに自身の識別情報及び位置情報を格納するとともに、前記前最終宛先フィールドの識別情報に対応する移動通信端末が自身の無線通信エリアに在圏するときは、前記送信先フィールドに前記最終宛先フィールドの識別情報及び位置情報を格納して送信するとともに、前記前記前最終宛先フィールドの識別情報に対応する移動通信端末が自身の無線通信エリアに在圏しないときには、前記通信データを中継させるべき移動通信端末の識別情報及び位置情報を前記送信先フィールドに格納して送信するようにしてもよい。
【００１８】
また、前記位置取得部は、自己の位置情報を、ＧＰＳを用いた測位装置から取得するようにしてもよい。
【００１９】
また、他の移動通信端末と互いに無線により通信する移動通信端末において、自己の無線通信エリア内に、通信相手の移動通信端末が在圏するか否かを判別する在圏判別部と、前記判別の結果、前記通信相手の移動通信端末が在圏しない場合には、実際の中継処理を行う時点で前記自己の無線通信エリア内に在圏すると推定される他の移動通信端末を特定し、選択する端末選択部と、前記選択された他の移動通信端末に前記通信データを送信し前記通信データの中継を行わせる通信制御部と、を備えたことを特徴としている。
【００２０】
上記構成によれば、移動通信端末の在圏判別部は、自己の無線通信エリア内に、通信相手の移動通信端末が在圏するか否かを判別する。端末選択部は、判別の結果、通信相手の移動通信端末が在圏しない場合には、実際の中継処理を行う時点で自己の無線通信エリア内に在圏すると推定される他の移動通信端末を特定し、選択する。
この結果、通信制御部は、選択された他の移動通信端末に通信データを送信し通信データの中継を行わせる。
【発明の効果】
【００２１】
本発明によれば、専用の中継機器を必要とせず、システム全体のコストを低減しつつ、無駄に中継処理が費やされることなく中継処理時間の抑制を図ることが可能となる。
【発明を実施するための最良の形態】
【００２２】
以下、図面を参照して本発明の実施の形態について説明する。
図１は本実施の形態に係る移動体通信システムとしての車々間通信システムＳの構成を模式的に示す図である。
【００２３】
車々間通信システムＳは、複数台の車両１の各々に搭載された移動通信端末である無線通信機器１１（図２参照）を備えるとともに、無線通信機器１１の各々が、無線通信可能な所定範囲（無線通信エリア）を有し、無線通信エリア内にあっては、無線通信機器１１同士が互いに無線により車々間通信を行う。
【００２４】
図２は、車両に搭載される車載システムの概略的構成を示すブロック図である。
図２に示すように、車両１に搭載される車載システムＳａは、車両制御機器１２と、無線通信機器１１と、無線通信機器１１に接続されるアンテナ１３と、を備えている。
車両制御機器１２は、例えば、ＧＰＳ（Global Positioning System）を利用した図示せぬカーナビゲーションシステムから得られる車両の位置情報に対応する位置情報データを取得し、一時的に記憶して管理するとともに、取得した位置情報データを上記無線通信機器１１に出力する。また、車両制御機器１２は、位置情報の他に、図示せぬ車速計から得られる車両速度情報や、図示せぬブレーキペダルセンサから得られるブレーキ情報等の各種の車両情報も取得可能に構成されている。
【００２５】
図３は、無線通信機器１１の構成を示すブロック図である。
図３に示すように、無線通信機器１１は、ＣＰＵ１０１と、メモリ１０２と、データリンク部１０３と、変復調部１０４と、ＲＦ部１０５とを有している。
ＣＰＵ１０１は、無線通信機器１１の全体の制御を行うものであり、例えば、受信データのメモリ１０２への格納、送信データのメモリ１０２からの呼び出し、無線通信における搬送波検出の判断等を行う。またＣＰＵ１０１は、車両制御機器１２から車両の位置情報等の各種データを図示せぬインターフェースを介して取得し、メモリ１０２に格納する処理も実行する。
【００２６】
メモリ１０２は、ＣＰＵ１０１にて実行される制御プログラムや各種のデータ、変数データ等を記憶する。メモリ１０２に記憶されるデータには、さらに無線通信にて受信したデータや、車両制御機器１２からの位置情報データといったものが含まれ、メモリ１０２は、これらのデータを一時的に記憶するバッファとしても機能する。
【００２７】
データリンク部１０３は、車々間通信プロトコルに準拠した無線フレームの生成や制御を実行する。
変復調部１０４は、送信データ信号の変調又は受信データ信号の復調を行う。
ＲＦ（高周波）部１０５は、データ信号の送受信を行う。例えば、ＰＬＬ（Phase Locked Loop）回路、ＡＧＣ（Auto Gain Control）回路、増幅回路等から構成される。
【００２８】
なお、変復調部１０４及びＲＦ部１０５は、本実施の形態の車々間通信システムＳに適用される無線通信方式（例えば、スペクトラム拡散通信方式など）に応じて、それに適合するように構成される。
上記構成の無線通信機器１１は、他車両の無線通信機器に通信データを送信し、また、他の無線通信機器から通信データを受信するといった双方向通信を行う。
【００２９】
ところで、無線通信機器１１は、上述のように、無線通信エリアを形成しており、その無線通信エリア内に在圏する他の無線通信機器とは直接通信可能であるが、何ら対策を施さなければ、無線通信エリア外の無線通信機器とは通信不可能となってしまう。
【００３０】
そこで、本実施形態の車々間通信システムＳにおいては、無線通信機器１１が直接無線通信可能でない第１の無線通信機器に通信データを送信しようとする場合、直接無線通信可能であり、かつ、第１の無線通信機器と直接無線通信可能な第２の無線通信機器に通信データを送信し、第２の無線通信機器に通信データを中継させる構成としている。
【００３１】
ここで、第２の無線通信機器に通信データを中継させる場合の問題点について説明する。
図４は、通信データ中継時の動作説明図である。
図４においては、ある時刻において、無線通信機器Ａの無線通信エリア３００内に、無線通信機器Ｂ、Ｈ、Ｋの３つの無線通信機器が在圏し、また、無線通信エリア３００の外に無線通信機器Ｃが存在する場合を示す。また、図４中に示す、点（・）は、本実施の形態の車々間通信システムＳで用いられる距離の最小単位を示す。
【００３２】
この図４においては、無線通信機器Ａの無線通信エリア３００内に無線通信機器Ｂ，Ｈ，Ｋが在圏するため、この無線通信機器Ａが有する図８に示す周辺端末テーブル２１０には、これら３つの無線通信機器Ｂ，Ｈ，Ｋの識別情報及び位置情報が格納されることになる。
【００３３】
このとき、例えば、無線通信機器Ｋから送信された無線フレーム２００を無線通信機器Ａが受信し、その無線フレーム２００の最終宛先フィールド２００ｃに無線通信機器Ｃが指定されていた場合、無線通信機器Ａの周辺端末テーブル２１０には、無線通信機器Ｃが登録されていないため、その無線フレーム２００を他の無線通信機器に中継させることとなる。
【００３４】
そこで、無線通信機器Ａは、周辺端末テーブル２１０に登録されている無線通信機器Ｂ，Ｈ，Ｋのうち、最終宛先である無線通信機器Ｃと最も距離が短い無線通信機器を、例えば、三平方の定理を用いることにより求め、該当する中継用の無線通信機器が無線通信機器Ｂであることを特定する。そして無線通信機器Ａは、特定した無線通信機器Ｂに無線フレーム２００を送信する。この結果、無線フレーム２００は、無線通信機器Ｂによって中継され、無線通信機器Ｃに到達することとなる。
【００３５】
この動作例においては、無線通信機器Ｋが、直接通信可能でない無線通信機器Ｃを最終宛先とした無線フレーム２００を送信するが、この最終宛先となる無線通信機器Ｃの情報は、予め、無線通信機器Ｋのメモリ１０２に格納されている。
【００３６】
ところで、中継処理を行わせるべく、無線通信機器を選択したとしても、無線中継の実際の処理実行時に選択された無線通信機器が中継処理を行えなくなってしまう場合が生じえる。
【００３７】
具体的には、上述の例の場合、無線通信機器Ｂが無線通信機器Ａの無線通信エリア３００内に存在しなくなってしまった場合であり、例えば無線通信機器Ｂが、位置Ｂ’の位置に移動してしまった場合等が考えられる。
【００３８】
また、無線通信機器Ｂの移動に伴い無線通信機器Ｂの無線通信エリア内に無線通信機器Ｃが存在しなくなってしまった場合、例えば、無線通信機器Ｂが無線通信機器Ａの無線通信エリア３００を４つのブロックＢ１〜Ｂ４に分けた場合のブロックＢ１からブロックＢ４内の位置Ｂ”に移動してしまった場合等が考えられる。
【００３９】
このような場合には、無線通信機器Ｂは、無線通信機器Ａからの通信を受信できない、若しくは受信できても無線通信機器Ｃとの直接通信が行えないため、他の無線通信機器に中継処理を行わせる必要が生じ、それまでの手順が全て無駄になることとなる。
【００４０】
そこで、本実施形態では、このような無線中継時の無線通信機器選択の誤りや無駄な中継処理の発生を抑制すべく、効率よく無線中継経路を選択すべく構成している。
【００４１】
すなわち、移動通信端末である無線通信機器は、自己の無線通信エリア内に、通信相手の移動通信端末が在圏するか否かを判別し、判別の結果、通信相手の無線通信機器が在圏しない場合には、実際の中継処理を行う時点で自己の無線通信エリア内に在圏すると推定される他の無線通信機器を特定し、選択する。そして選択された他の移動通信端末に通信データを送信し、中継を行わせるようにしているのである。
【００４２】
以下、上記構成の具体例について詳述する。
図５は、本実施の形態の車々間通信システムＳにおいて用いられる無線フレームの構成を模式的に示す図である。なお、この図には、無線フレームのうち、通信データの中継に関する部分のみを図示している。
【００４３】
図５に示すように、無線フレーム２００は、宛先フィールド２００ａと、送信元フィールド２００ｂと、最終宛先フィールド２００ｃと、発信元フィールド２００ｄの４つのフィールドを有している。
宛先フィールド２００ａは、通信データの送信先の無線通信機器を一意に特定する識別情報および当該送信先の無線通信機器の現在の位置情報が格納されるフィールドである。
送信元フィールド２００ｂは、通信データの送信者を一意に特定する識別情報および当該送信元の無線通信機器の現在の位置情報が格納されるフィールドである。
【００４４】
最終宛先フィールド２００ｃは、通信データの最終到達先の無線通信機器を一意に特定する識別情報および最終到達先の無線通信機器の現在の位置情報が格納されるフィールドである。
【００４５】
発信元フィールド２００ｄは、当該通信データを最初に発信した発信元の無線通信機器を一意に特定する識別情報および当該発信元の無線通信機器の位置情報が格納されるフィールドである。
【００４６】
すなわち、ある無線通信機器１１ａが直接無線通信可能でない無線通信機器１１ｃに通信データを送信するに際し、直接無線通信可能な無線通信機器１１ｂに通信データを中継させる場合、図６に示すように、宛先フィールド２００ａには、通信データの送信先である無線通信機器１１ｂの識別情報と位置情報とが格納され、送信元フィールド２００ｂには、通信データの送信元である無線通信機器１１ａの識別情報と位置情報とが格納される。
【００４７】
また、最終宛先フィールド２００ｃには、通信データの最終到達先である無線通信機器１１ｃの識別情報と位置情報とが格納され、発信元フィールド２００ｄには、通信データを最初に発信した発信元である無線通信機器１１ａの識別情報と位置情報とが格納される。
【００４８】
この無線フレーム２００を送信先の無線通信機器１１ｂが受信した場合、最終宛先フィールド２００ｃに格納された識別情報に基づいて、当該無線フレーム２００が自器１１ｂ宛のものか、あるいは、他の無線通信機器に送信すべきものであるかを判断する。
【００４９】
具体的には、この無線フレーム２００では、最終宛先フィールド２００ｃに、他の無線通信機器１１ｃの識別情報が格納されていることから、この無線フレーム２００を最終宛先フィールド２００ｃで指定されている無線通信機器１１ｃに送信し、この結果、通信データが無線通信機器１１ｃに到達することとなる。
【００５０】
また、この無線通信機器１１ｃへの通信データの送信に際し、無線通信機器１１ｂは、図７に示すように、宛先フィールド２００ａ及び最終宛先フィールド２００ｃの各々に無線通信機器１１ｃの識別情報及び位置情報を格納するとともに、送信元フィールド２００ｂに自器１１ｂの識別情報及び位置情報を格納する。
【００５１】
この無線フレーム２００を、送信先の無線通信機器１１ｃが受信した場合には、当該無線通信機器１１ｃは、最終宛先フィールド２００ｃに自己である無線通信機器１１ｃが指定されていることから、他の無線通信機器に当該無線フレーム２００を中継する必要がない事が判断できる。
【００５２】
なお、最終宛先フィールド２００ｃに格納された情報に基づいて無線通信機器１１が通信データの中継の要否を判断する構成ではなく、中継の要否を示す情報を格納するための専用のフィールドを無線フレーム２００に設ける構成としても良い。
このように、本実施の形態では、無線フレーム２００に送信先や最終宛先となる無線通信機器の識別情報及び位置情報を格納する構成としているため、無線通信機器１１がこれらの情報を取得している必要がある。
【００５３】
そこで、本実施形態では、無線通信機器１１は、直接無線通信可能な無線通信機器の識別情報及び位置情報が登録された周辺端末テーブル２１０をメモリ１０２に予め格納し、通信データを送信する際には、この周辺端末テーブル２１０を参照して、上記無線フレーム２００の各フィールド２００ａ〜２００ｄに情報を格納する。
【００５４】
図８は、上記周辺端末テーブル２１０の構成を模式的に示す図である。
図８に示すように、周辺端末テーブル２１０の１つのレコードブロックには、レコード番号データ２１０ａと、識別情報データ２１０ｂと、位置情報データ２１０ｃと、時刻データ２１０ｄと、移動速度データ２１０ｅと、移動方位データ２１０ｆと、が含まれている。
【００５５】
レコード番号データ２１０ａは、各レコードブロックを識別するためのデータ（情報）であり、例えば各レコードブロックを参照する際に使用される。
識別情報データ２１０ｂは、直接無線通信可能な無線通信機器を一意に特定する情報であり、この情報は、上記無線フレーム２００の各フィールド２００ａ〜２００ｄに格納される識別情報に相当する。この識別情報データ２１０ｂとしては、通信機器に予め割り当てられている例えばＭＡＣ（Media Access Control）アドレス等を用いることができる。
【００５６】
位置情報データ２１０ｃは、直接無線通信可能な無線通信機器の現在の位置を示す情報である。この位置情報データ２１０ｃとしては、例えば緯度・経度情報や住所、あるいは、無線通信機器１１の位置を特定するためのシステム固有の情報等を用いることができる。本実施の形態では、上述のように、車両制御機器１２が例えばＧＰＳ（Global Positioning System）を利用した図示せぬカーナビゲーションシステムから自車両１の位置情報データを取得するように構成され、無線通信機器１１は、その位置情報データを用いる構成としている。
【００５７】
時刻データ２１０ｄは、レコードブロックを構成する各データを登録した時刻あるいは更新した時刻を示す情報である。この時刻データ２１０ｄとしては、無線通信機器１１に内蔵された図示せぬタイマ回路や計時回路あるいは他の機器から得られる時間情報等を用いることができる。
【００５８】
移動速度データ２１０ｅは、前回のレコードブロックへの登録時（あるいは更新時）における直接無線通信可能な各無線通信機器の位置および時刻並びに各無線通信機器の今回のレコード登録時（あるいは更新時）における位置および時刻に基づいて算出された各無線通信機器の移動速度を示す情報である。
【００５９】
移動方位データ２１０ｆは、前回のレコードブロックへの登録時（あるいは更新時）における直接無線通信可能な各無線通信機器の位置および各無線通信機器の今回のレコード登録時（あるいは更新時）における位置に基づいて算出された各無線通信機器の移動方位（移動方向）を示す情報である。
【００６０】
このような周辺端末テーブル２１０へのレコードブロックの登録あるいは更新は、上記無線フレーム２００を受信することで行われる。具体的には、無線通信機器１１は、自己宛ての無線フレーム２００に限らず、受信可能な無線フレーム２００を逐次受信している。この無線フレーム２００の送信元の無線通信機器とは直接通信可能であるため、無線通信機器１１は、その無線フレーム２００を受信するごとに、次に示す周辺端末テーブル処理を実行して、当該無線フレーム２００の送信元フィールド２００ｂに格納されている情報に基づいて、直接通信可能な無線通信機器について周辺端末テーブル２１０に登録あるいは更新を行う。
【００６１】
図９は、かかる周辺端末テーブル処理を示すフローチャートである。
図９に示すように、無線フレーム２００が受信されると、無線通信機器１１のＣＰＵ１０１は、送信元である無線通信機器の識別情報および位置情報といった送信元情報を、今回受信した無線フレーム２００の送信元フィールド２００ｂから読み取る（ステップＳ１０１）。
【００６２】
次いでＣＰＵ１０１は、この送信元の識別情報を検索キーとして周辺端末テーブル２１０の各レコードブロックを検索し、該当する識別情報が既に存在するか否かを判別する（ステップＳ１０２）。
【００６３】
この判別の結果、送信元の識別情報が周辺端末テーブル２１０に未だ登録されていなければ（ステップＳ１０２：いいえ）、ＣＰＵ１０１は、周辺端末テーブル２１０内の未使用のレコードブロックに対応するレコード番号データ２１０ａを取得しそのレコード番号データ２１０ａに対応するレコード番号が付されたレコードブロックの領域を初期化し（ステップＳ１０３）、当該レコードブロックに送信元の識別情報、位置情報および時刻情報を格納し、このレコードブロックを周辺端末テーブル２１０に登録する（ステップＳ１０４）。これにより、直接通信可能な無線通信機器のレコードが新規に生成され周辺端末テーブル２１０で利用可能となる。
【００６４】
一方、ステップＳ１０２の判別の結果、送信元の識別情報が周辺端末テーブル２１０に既に登録されている場合には（ステップＳ１０２：はい）、ＣＰＵ１０１は、該当するレコードブロックに含まれた位置情報データ２１０ｃ、時刻データ２１０ｄ、移動速度データ２１０ｅ、移動方位データ２１０ｆ等を、今回受信した無線フレーム２００に含まれた情報に基づいて更新するために、そのレコードブロックに対応するレコード番号データ２１０ａを取得する（ステップＳ１０５）。
【００６５】
次いでＣＰＵ１０１は、レコード番号データ２１０ａに対応するレコードブロックから位置情報データ２１０ｃおよび時刻データ２１０ｄを読み出す（ステップＳ１０６）
そして、ＣＰＵ１０１は、今回受信した無線フレーム２００の送信元フィールド２００ｂから、送信元の無線通信機器の位置情報および時刻情報を読み取り、送信元の無線通信機器の位置情報および時刻情報並びにステップＳ１０６で読み出した位置情報データ２１０ｃに対応する前回の位置情報および時刻データ２１０ｄに対応する前回の時刻情報に基づいて送信元の無線通信機器の移動速度および移動方位を算出する（ステップＳ１０７）。
【００６６】
この場合において、送信元の識別情報が周辺端末テーブル２１０に登録されていなかった場合には、前回の位置情報および時刻情報は、今回の位置情報および時刻情報と同一であるので、移動速度０、移動方位なしとなる。
続いて、ＣＰＵ１０１は、送信元の位置情報、時刻、移動速度情報、移動方位情報を、ステップＳ１０４にて登録したレコードブロック、あるいは、ステップＳ１０５にて取得したレコード番号データ２１０ａに該当するレコードブロックに格納して更新する（ステップＳ１０８）。
【００６７】
以上の周辺端末テーブル処理により、無線通信機器１１の無線通信サービルエリア内に在圏し、直接無線通信可能な無線通信機器が周辺端末テーブル２１０に順次登録、あるいは、更新されることとなる。
【００６８】
ところで、上記周辺端末テーブル処理にあっては、受信した無線フレーム２００に含まれた情報に基づいて周辺端末テーブル２１０の各レコードの情報を更新するため、既に無線通信エリア外に遠ざかった無線通信機器がある場合であっても、そのまま周辺端末テーブル２１０に登録され続けることとなる。そこで、本実施の形態の無線通信機器１１は、次に示す周辺端末テーブル更新処理を間欠的（例えば５秒ごと）に実行することで、無線通信エリア外に遠ざかってしまったと判断される無線通信機器に関するレコードを、周辺端末テーブル２１０から削除している。
【００６９】
図１０は、周辺端末テーブル更新処理を示すフローチャートである。
図１０に示すように、無線通信機器１１のＣＰＵ１０１は、周辺端末テーブル２１０から１件のレコードブロックを読み出し（ステップＳ２０１）、そのレコードブロックに含まれる時刻データ２１０ｄ（図７参照）に対応する時刻に基づいて、レコードブロックを新規に登録した時刻あるいは更新した時刻から所定時間（例えば５秒）が経過しているかを判別して、そのレコードの情報が古いものであるかを判断する（ステップＳ２０２）。
【００７０】
情報が古ければ（ステップＳ２０２：はい）、当該レコードブロックに登録された情報の信頼性が低く、そのレコードブロックに登録されている無線通信機器が無線通信エリアから既に遠ざかっている可能性が高いので、既に当該無線通信機器は自己の無線通信エリアに存在しないとみなし、ＣＰＵ１０１は、そのレコードを周辺端末テーブル２１０から削除する（ステップＳ２０３）。
【００７１】
そして、ＣＰＵ１０１は、周辺端末テーブル２１０に登録されている全てのレコードブロックについて判別が完了しているか否かを判別し（ステップＳ２０４）、未だ全てのレコードブロックについて判別が完了していなければ（ステップＳ２０４：いいえ）、残りのレコードブロックについても判別を判断すべく、処理手順をステップＳ２０１に移行する。
【００７２】
また、ステップＳ２０２の判別の結果、周辺端末テーブル２１０に登録されている全てのレコードブロックについて判別が完了した場合には（ステップＳ２０４；はい）、ＣＰＵ１０１は、処理を終了する。
この周辺端末テーブル更新処理により、周辺端末テーブル２１０から既に無線通信エリア外に遠ざかったとみなされる無線通信機器の情報が削除され、周辺端末テーブル２１０には、直接通信可能な無線通信機器のみが登録されることとなる。
【００７３】
次いで、上記無線フレーム２００及び周辺端末テーブル２１０を用いて無線通信機器１１が通信データを送信する場合の動作について具体的に説明する。無線通信機器１１は、通信データを送信するに際し、以下に示す無線ルート選択処理を実行することで、通信データを受信すべき（すなわち、最終宛先となる）無線通信機器が直接通信可能でない場合には、この通信データを中継させるべき無線通信機器を直接通信可能な無線通信機器の中から選択し、その無線通信機器に通信データを送信する。
【００７４】
図１１は、無線ルート選択処理を示すフローチャートである。
図１１に示すように、無線通信機器１１のＣＰＵ１０１は、通信データを送信するに際し、最終宛先である無線通信機器が直接通信可能であるかを判断すべく、その無線通信機器の識別情報を検索キーとして、自器１１のメモリ１０２に格納された周辺端末テーブル２１０を検索する（ステップＳ３０１）。なお、本実施の形態では、無線通信機器１１が、通信相手（最終宛先）となり得る無線通信機器の識別情報及び位置情報を予めメモリ１０２に記憶している構成とするが、この構成の詳細については後述する。
【００７５】
この検索の結果、最終宛先となる無線通信機器が周辺端末テーブル２１０に登録されている場合には（ステップＳ３０２：テーブルに有る）、この無線通信機器と直接通信可能であり、他の無線通信機器に通信データを中継させる必要がない。したがって、ＣＰＵ１０１は、この無線通信機器の識別情報及び位置情報を周辺端末テーブル２１０から読み出して、無線フレーム２００の宛先フィールド２００ａ及び最終宛先フィールド２００ｃに格納するとともに、自己である無線通信機器１１の識別情報および位置情報を送信元フィールド２００ｂに格納して無線フレーム２００を生成し（ステップＳ３０３）、送信する。
【００７６】
一方、ステップＳ３０３の検索の結果、最終宛先となる無線通信機器が周辺端末テーブル２１０に登録されていなければ（ステップＳ３０２：テーブルに無い）、この最終宛先の無線通信機器とは直接通信可能ではないので、他の無線通信機器の中継を必要とすることなる。したがって、無線通信機器１１のＣＰＵ１０１は、通信データを中継させるに適当な無線通信機器を周辺端末テーブル２１０に登録されている無線通信機器の中から特定し、選択するための処理を実行する。
【００７７】
本実施形態では、直接通信可能な無線通信機器に通信データを中継させる場合、実際の中継処理を行う時点で自己である無線通信機器１１の無線通信エリア内に在圏すると推定される他の無線通信機器を特定し、それらのうちから最終宛先となる無線通信機器と直線距離にして最も近い無線通信機器が選択される構成としている。
【００７８】
具体的に説明すると、無線通信機器１１のＣＰＵ１０１は、周辺端末テーブル２１０に登録されている各無線通信機器の移動速度と移動方位から現在の位置を推定する（ステップＳ３０４）。すなわち、移動速度データ２１０ｅで特定される移動速度および移動方位データ２１０ｆで特定される移動方位で、各無線通信機器が時刻データ２１０ｄに対応する時刻から現在時刻までの時間の間、各無線通信機器が移動しつづけていると仮定した場合における各無線通信機器の現在位置を推定し、無線通信機器１１の無線通信エリア内に存在するか否かを判定する。
【００７９】
そして、無線通信機器１１のＣＰＵ１０１は、周辺端末テーブル２１０に登録されている各無線通信機器のうち、現在時刻における無線通信機器の位置が無線通信機器１１の無線通信エリア外（例えば、現在位置が図４におけるＢ’の位置と推定された無線通信機器）の無線通信機器を中継をさせるには不適当である無線通信機器として、無線通信機器の選択判定を行う対象外とする（ステップＳ３０５）。
【００８０】
続いて無線通信機器１１のＣＰＵ１０１は、現在時刻における無線通信機器の位置が無線通信機器１１の無線通信エリア内（例えば、図４におけるＨの位置と推定された無線通信機器）の無線通信機器について、最終宛先の無線通信機器との直線距離を位置情報に基づいて順次求める（ステップＳ３０６）。
【００８１】
次いで、ＣＰＵ１０１は、このように求めた直線距離に基づいて、最終宛先の無線通信機器との距離が最も短い無線通信機器を求め（ステップＳ３０７）、この無線通信機器に通信データを中継させるべく、この無線通信機器の識別情報及び位置情報を宛先フィールド２００ａに格納するとともに、最終宛先フィールド２００ｃに通信データを最終的に受信すべき無線通信機器の識別情報及び位置情報を格納し、さらに、送信元フィールド２００ｂに自機１１の識別情報及び位置情報を格納した無線フレーム２００を生成して（ステップＳ３０８）、送信する。尚、発信元フィールド２００ｄは、この通信データを最初に発信した（あるいは発信する）発信元の無線通信機器の接続情報および位置情報が格納される。
【００８２】
この無線ルート選択処理により、無線通信機器１１が通信データを送信する場合に、最終宛先の無線通信機器が直接通信可能であれば、その無線通信機器に通信データを直接送信し、また、直接通信可能でなければ、直接通信可能な無線通信機器のうち、実際の中継処理を行う時点で自己である無線通信機器１１の無線通信エリア内に在圏すると推定される無線通信機器を特定し、それらのうちから最終宛先の無線通信機器と最も距離の短い無線通信機器を選択し、その無線通信機器に通信データを中継させることとなる。
【００８３】
ここで、中継処理について再び図４を参照してより詳細に説明する。
図４においては、無線通信機器Ａの無線通信エリア３００内に無線通信機器Ｂ，Ｈ，Ｋが在圏するため、この無線通信機器Ａが有する周辺端末テーブル２１０には、これら３つの無線通信機器Ｂ，Ｈ，Ｋの識別情報及び位置情報が格納されることになる。
【００８４】
このとき、例えば、無線通信機器Ｋから送信された無線フレーム２００を無線通信機器Ａが受信し、その無線フレーム２００の最終宛先フィールド２００ｃに無線通信機器Ｃが指定されていた場合、無線通信機器Ａの周辺端末テーブル２１０には、無線通信機器Ｃが登録されていないため、その無線フレーム２００を他の無線通信機器に中継させることとなる。
【００８５】
そこで、無線通信機器Ａは、周辺端末テーブル２１０に登録されている無線通信機器Ｂ，Ｈ，Ｋのうち、周辺端末テーブル２１０に登録されている各無線通信機器Ｂ，Ｈ，Ｋの移動速度と移動方位から現在の位置を推定し、各無線通信機器の現在位置が無線通信機器１１の無線通信エリア内に存在するか否かを判定する。
【００８６】
そして、無線通信機器Ａは、周辺端末テーブル２１０に登録されている各無線通信機器のうち、現在時刻における無線通信機器の位置が無線通信機器１１の無線通信エリア外（例えば、図４におけるＢ’の位置と推定された無線通信機器Ｂ）の無線通信機器を中継をさせるには不適当である無線通信機器として、無線通信機器の選択判定を行う対象外とする。
【００８７】
続いて無線通信機器Ａは、現在時刻における無線通信機器の位置が無線通信機器１１の無線通信エリア内の無線通信機器Ｈについて、最終宛先の無線通信機器Ｃとの直線距離を三平方の定理を用いる等して求める。例えば、図４の場合、無線通信機器Ｃと無線通信機器Ｈとの直線距離は、５｛＝√（３2＋４2）｝となる。
【００８８】
同様にして、無線通信機器Ａは、現在時刻における無線通信機器の位置が無線通信機器１１の無線通信エリア内の他の無線通信機器が存在する場合には当該無線通信機器についても最終宛先の無線通信機器Ｃとの直線距離を求める。
【００８９】
この場合には、現在時刻における無線通信機器の位置が無線通信機器１１の無線通信エリア内である無線通信機器は、無線通信機器Ｈしか存在しないので、最終宛先である無線通信機器Ｃと最も距離が短い無線通信機器として無線通信機器Ｈを選択し、この無線通信機器Ｈに無線フレーム２００を送信する。この結果、無線フレーム２００は、無線通信機器Ｈによって中継され、無線通信機器Ｃに到達することとなる。
【００９０】
従って、現在時刻において、無線通信機器Ａの通信エリア外にいる可能性がある無線通信機器Ｂ（推定現在位置Ｂ’）は、中継を行うべき無線通信機器として選択されることはないので、実際には中継を行うことができない無線通信機器を選択すること起因して中継処理が無駄になることを防止し、より迅速、かつ、より確実に中継処理を行うことが可能となる。
【００９１】
以上の説明においては、無線通信機器Ｋが、直接通信可能でない無線通信機器Ｃを最終宛先とした無線フレーム２００を送信するが、この最終宛先となる無線通信機器Ｃの情報は、予め、無線通信機器Ｋのメモリ１０２に格納されている。
【００９２】
具体的には、無線通信機器１１の各々は、通信データの最終宛先となり得る無線通信機器の識別情報及び位置情報をリスト化し、端末リスト（図示せず）として予めメモリ１０２に格納する構成としている。この端末リストは、ユーザが無線通信機器１１に設けられた図示せぬ入力装置（例えばキーボード）を操作する等して、設定、登録及び削除等を実行可能に構成される。なお、この端末リストを車両制御装置１２に格納し、無線通信機器１１が車両制御装置１２を介して端末リストのデータを参照する構成とし、車両制御装置１２に入力装置を設ける構成としても良い。
【００９３】
この端末リストには、ユーザが無線通信機器の識別を容易にするための無線通信機器名称、上記識別情報及び位置情報等が含まれ、これらの情報が初期登録される。このうち、位置情報は、該当する無線通信機器からの無線データ受信時に登録・更新等されるようになっている。
【００９４】
例えば、複数人のユーザが複数の車両１に分乗して移動等する場合には、それらの車両１に搭載された無線通信機器の呼称及び識別情報を、各自の無線通信機器１１の端末リストに予め登録する。そして、各自が一度集合場所に集まったときに、各無線通信機器が直接通信可能となるため、各々の無線通信機器が周辺端末テーブル２１０に、直接無線通信可能な無線通信機器として、これらの無線通信機器を登録する。このとき、各無線通信機器は、周辺端末テーブル２１０に登録した無線通信機器が上記端末リストにも登録されている場合、その無線通信機器について端末リストの位置情報も登録・更新する。これにより、端末リストに登録されている無線通信機器の情報が最新の情報に常に更新され、各無線通信機器１１は、無線通信時の最終宛先情報として利用可能となる。
【００９５】
なお、本実施の形態では、車両１に搭載された無線通信機器１１のみが互いに通信する場合について例示したが、これに限らず、無線通信機器１１が、例えばユーザの自宅に設置された無線端末等と通信する構成としても良い。この構成においては、自宅付近においてユーザが端末リストに自宅の無線端末を登録すると、車両１に搭載された無線通信機器１１が起動されたときに、無線通信機器１１は、その無線端末を直接無線通信可能な端末として周辺端末テーブル２１０に登録するとともに、その無線端末の位置情報を端末リストに登録・更新する。
【００９６】
以上説明したように、本実施の形態によれば、無線通信機器１１が、自己の無線通信エリア内に、通信相手の無線通信機器が在圏するか否かを判断し、通信相手すなわち最終宛先となる無線通信機器が在圏しない場合には、実際の中継処理を行う時点で自己の無線通信エリア内に在圏すると推定される他の無線通信機器に通信データを送信し当該通信データの中継を行わせる構成としたため、専用の中継機器を用いる必要がなく、システム全体のコストを低減することが可能となる。
【００９７】
また、本実施の形態によれば、無線通信機器１１が、直接通信可能な無線通信機器を登録した周辺端末テーブル２１０を有し、通常の通信データ受信により、この周辺端末テーブル２１０を更新し、そして、この周辺端末テーブル２１０に登録されている無線通信機の中から、中継させるに最適な無線通信機器として、実際の中継処理を行う時点で自己の無線通信エリア内に在圏すると推定される他の無線通信機器を選択する構成としたため、通信データの中継に関する無駄な通信が不要となり、無線通信システムへの負荷を低減させることができる。
【００９８】
特に、本実施形態によれば、移動通信端末たる無線通信機器１１の各々が、直接通信可能な無線通信機器の情報を逐次登録及び更新する機能と、通信データの送信に際し、確実に中継が行える、最適な中継ルートを選択する機能とを備える構成としているため、通信量の増大を防止し、さらに、中継機能を有した移動体通信システムを簡易に構成することが可能となる。
【００９９】
なお、上述した実施の形態は、本発明の一態様を示すものであり、本発明の範囲内で任意に変形及び応用可能であることは勿論である。
例えば、上述した実施の形態では、車両１に搭載された無線通信機器１１に本発明を適用した場合について例示したが、これに限らず、例えば携帯電話機等の移動通信端末同士の通信にも、本発明を適用することが可能である。
【図面の簡単な説明】
【０１００】
【図１】本発明の実施の形態にかかる車々間通信システムの構成を概略的に示す図である。
【図２】車両に搭載される車載システムの概略的構成を示すブロック図である。
【図３】無線通信機器の機能的構成を示すブロック図である。
【図４】通信データ中継時の動作説明図である。
【図５】車々間通信システムに用いられる無線フレームの構成を模式的に示す図である。
【図６】車々間通信システムに用いられる無線フレームの構成を模式的に示す図である。
【図７】車々間通信システムに用いられる無線フレームの構成を模式的に示す図である。
【図８】周辺端末テーブルの構成を模式的に示す図である。
【図９】周辺端末テーブル処理のフローチャートである。
【図１０】周辺端末テーブル更新処理のフローチャートである。
【図１１】無線ルート選択処理のフローチャートである。
【符号の説明】
【０１０１】
１  車両
２  路側機器
１１、１１ａ〜１１ｃ、Ａ〜Ｃ、Ｈ、Ｋ  無線通信機器
１２  車両制御機器
１０１  ＣＰＵ（在圏判別部、端末選択部）
１０２  メモリ
１０３  データリンク部（通信制御部）
１０４  変復調部（通信制御部）
１０５  ＲＦ部（通信制御部）
２００  無線フレーム
２００ａ  宛先フィールド
２００ｂ  送信元フィールド
２００ｃ  最終宛先フィールド
２００ｄ  発信元フィールド
２１０  周辺端末テーブル
２１０ｂ  識別情報データ
２１０ｃ  位置情報データ
２１０ｄ  時刻データ
２１０ｅ  移動速度データ
２１０ｆ  移動方位データ
Ｓ  車々間通信システム
【図１】
2006060635.tif 000003
【図２】
2006060635.tif 000004
【図３】
2006060635.tif 000005
【図４】
2006060635.tif 000006
【図５】
2006060635.tif 000007
【図６】
2006060635.tif 000008
【図７】
2006060635.tif 000009
【図８】
2006060635.tif 000010
【図９】
2006060635.tif 000011
【図１０】
2006060635.tif 000012
【図１１】
2006060635.tif 000013